(57)【要約】      （修正有）【課題】モジュールのセットを同一平面に保持し、いろいろ複雑な地形に適用することができる太陽光発電架台システムを提供する。【解決手段】支柱、横レール、レールを含む太陽光発電架台システムであり、横レールは、連接構造４によって支柱１の先端に固定され、レールは横レールの上部に取付けられ、レールと横レールの間にフック構造を設置する。連接構造４は、第１連接部品４．１と、第２連接部品４．２とを含む。第１連接部品は、支柱の先端に固定される。第２連接部品は、その一端で、第１連接部品に連接し、連接箇所を中心に第１連接部品に対して、少なくとも２つの方向へ回転することができる。第２連接部品のもう一方の端を横レールに固定して連接する。前後支柱の高さ調整とともに、取付誤差を吸収して最高照射角度に調整することができる。【選択図】図２
0003204297.tif 000002
【実用新案登録請求の範囲】
【請求項１】
支柱と、横レールと、レールとを含む一種類の太陽光発電架台システムであって、
前記横レールは、連接構造によって前記支柱の先端に固定され、
前記レールは、前記横レールの上部に取付けられ、
前記レールと前記横レールとの間にフック構造が設置され、
当該連接構造は、第1連接部品と、第２連接部品とを含み、
前記第１連接部品は、前記支柱の前記先端に固定され、
前記第２連接部品は、その一端で、前記第１連接部品に連接され、連接箇所を中心に前記第１連接部品に対して、少なくとも2つの方向へ回転することができ、
前記第２連接部品のもう一方の端は、前記横レールに固定されて連接されることを特徴とする一種類の太陽光発電架台システム。
【請求項２】
前記第２連接部品にボールジョイントカバーが設計され、
前記ジョイントカバーの中に、貫通設置穴が設計され、前記第１連接部品にも対応する取付穴が設計され、
ボルトで、前記第１連接部品の前記取付穴と、前記ジョイントカバーにある前記貫通設置穴を通して、前記第１連接部品と、前記第２連接部品とを固定し連接する請求項１に記載の一種類の太陽光発電架台システム。
【請求項３】
前記第２連接部品は、取付平面と固定平面を含み、上記両平面にて「T」型に形成され、
前記ボールジョイントカバーの固定を制限する為に、前記固定平面には貫通穴が設計され、前記ボールジョイントカバーがある程度で前記貫通穴にて回転することができるようになる請求項２に記載の一種類の太陽光発電架台システム。
【請求項４】
クリップセットと、エンドクリップセットと、ミッドクリップセットとの三つを有するフック構造をさらに含む請求項１ないし３のいずれかに記載の一種類の太陽光発電架台システム。
【請求項５】
前記ミッドクリップセットは、ミッドクリップ部品と、ドグとからなり、
前記ドグは、本体になるボルト設置穴とドグエッジとを有し、前記ドグは、逆「U」型に形成され、
前記ドグエッジは、前記横レールと前記レールの固定に使用され、
前記ミッドクリップ部品は、シート状に形成され、その中にボルト設置穴が設計され、
前記ミッドクリップセットの使用の場合、ボルトで、前記ミッドクリップ部品と前記ドグとにある前記ボルト設置穴を通して、前記ミッドクリップ部品と前記ドグとの間に設置するモジュールを固定することができる請求項４に記載の一種類の太陽光発電架台システム。
【請求項６】
前記エンドクリップセットは、積み重ねられてある、エンドクリップ部品と、第１エンドクリップアクセサリーと、第２エンドクリップアクセサリーとからなり、
最下層にある前記第２エンドクリップアクセサリーは、その両側で前記横レールと前記レールを固定し、
前記第１エンドクリップアクセサリーは、前記第２エンドクリップアクセサリーの上部に設計され、
前記エンドクリップ部品は、前記第１エンドクリップアクセサリーの上に設計され、
ボルトで、前記エンドクリップ部品、前記第１エンドクリップアクセサリーと前記第２エンドクリップアクセサリーを通して固定する請求項４または５に記載の一種類の太陽光発電架台システム。
【請求項７】
前記クリップセットは、クリップとドグとからなり、
前記ドグは、本体になるボルト設置穴とドグエッジとを有し、前記ドグは逆「U」型に形成され、
前記ドグエッジは、前記横レールの固定に使用され、
前記クリップは、前記ドグを固定し、前記クリップの片側に、外方へ突出する台の肩部を有している請求項４ないし６のいずれかに記載の一種類の太陽光発電架台システム。
【考案の詳細な説明】
【技術分野】
【０００１】
本考案は、太陽光発電技術分野に関係していて、特に一種類の新型太陽光発電架台システムの仕組みに関係している。
【背景技術】
【０００２】
エネルギーの供給が日一日と緊張に向かい、太陽光発電は新型エネルギーとして応用領域が日増しに拡大してきている。けれども、新型太陽光発電架台は、太陽光発電システムの支え仕組みとして、太陽光発電システムで重要な構成部分となっている。既存の新型太陽光発電架台システムは、部材に穴加工をしてボルトで固定する方式を主としており、前記の機械加工、部材運用、ボルト連接などが比較的に複雑である為、施工にはいろいろな不便をもたらす。そして、取付の際に、横レールの設置面を同一平面に配置しにくく、横レール及び他の部品には多くの箇所に応力が集中し、破損しやすい。
【考案の概要】
【考案が解決しようとする課題】
【０００３】
本考案で解決する技術問題としては、一種類の新型太陽光発電架台システムを研究し考案することである。
【０００４】
本考案によれば、取付が簡易だけでなく、施工現場で時間を短縮することもでき、新型太陽光発電架台システムでモジュールのセットを同一平面に保持し、いろいろ複雑な地形に適用することができる。
【課題を解決するための手段】
【０００５】
上記目的を達成するために、本考案で採用している技術案は下記のようである。
【０００６】
一種類の新型太陽光発電架台システムは、支柱、横レール、レールを含む。該当する横レールは、連接構造によって支柱の先端に固定され、レールを横レールの上部に取付ける。レールと横レールの間にフック構造を設置する。該当する連接構造は、第１連接部品と、第２連接部品とを含む。第１連接部品は、支柱の先端に固定されている。第２連接部品は、その一端で、第１連接部品に連接され、連接箇所を中心に第１連接部品に対して、少なくとも2つの方向へ回転することができる。第２連接部品のもう一方の端を横レールに固定して連接する。
【０００７】
太陽光発電架台システムの基礎ができた後、ジョイントセットを支柱には嵌め込んでいる。地元の光の照射角度によっては、最高照射角度を調整することができ、前後支柱の高さの差によって角度の設定を実現することができる。取付途中で誤差が免れない為、当該連接構造は見事な表現になる。それは現状に適合する角度に自動回転ができて、太陽光発電架台システムの安全性を保証できる。更に、第２連接部品は、連接箇所を中心に第１連接部品に対して、少なくとも2つの方向へ回転することができる為、横レールの設置方向でスペースが大きくなり、横向きでも、縦向きでも設置できるから、位置調整には影響はしない。
【０００８】
また、本考案で述べた太陽光発電架台システムの優先案として、該当する第２連接部品にボールジョイントカバーが設計され、そのジョイントカバーの中に貫通設置穴が設計されている。第１連接部品にも対応する取付穴が設計されている。ボルトで、第１連接部品の取付穴と、ジョイントカバーにある貫通設置穴とを通して、第１連接部品と第２連接部品を固定し連接する。
【０００９】
更に、該当する第２連接部品は、取付平面と固定平面とを含む。上記両平面にて「T」型に形成される。ボールジョイントカバーの固定を制限する為に、固定平面には貫通穴が設計され、ボールジョイントカバーがある程度で貫通穴にて回転することができるようになる。
【００１０】
また、本考案で述べた太陽光発電架台システムの優先案として、該当するフック構造は、クリップセット、エンドクリップセット、ミッドクリップセットとの三つからなる。
【００１１】
具体的に、該当するミッドクリップセットは、ミッドクリップ部品とドグとからなる。ドグには、本体になるボルト設置穴とドグエッジとがある。ドグは、逆「U」型に形成されている。ドグエッジは、横レールとレールの固定に使用される。ミッドクリップ部品は、シート状に形成され、その中にはボルト設置穴が設計されてある。ミッドクリップセットの使用の場合、ボルトで、ミッドクリップ部品とドグとにあるボルト設置穴を通して、ミッドクリップ部品とドグとの間に設置するモジュールを固定することができる。
【００１２】
該当するエンドクリップセットは、積み重ねられてある、エンドクリップ部品、第１エンドクリップアクセサリーと第２エンドクリップアクセサリーからなる。最下層にある第２エンドクリップアクセサリーは、その両側で横レールとレールを固定する。第１エンドクリップアクセサリーは、第２エンドクリップアクセサリーの上部に設計される。エンドクリップ部品は、第１エンドクリップアクセサリーの上部に設計されている。ボルトで、エンドクリップ部品、第１エンドクリップアクセサリーと第２エンドクリップアクセサリーを通して固定することができる。
【００１３】
該当するクリップセットは、クリップとドグとからなる。ドグには、本体になるボルト設置穴とドグエッジとがある。ドグは、逆「U」型に形成されている。ドグエッジは、レールの固定に使用される。クリップは、ドグを固定し、クリップの片側に、外方へ突出している台の肩部を有する。
【考案の効果】
【００１４】
本考案で述べた新型太陽光発電架台システムは、角度設定を容易に実現することだけでなく、取付途中で誤差による取付不良を避けることができる。また、現状に適合する角度に自動回転することができる為、太陽光発電架台システムの安全性を保証できる。更にクリップセット、エンドクリップセット、ミッドクリップセットなどのフック構造によって、新型太陽光発電架台の取付が気楽に実現できるようになる。
【図面の簡単な説明】
【００１５】
【図１】図１は、本考案に基づき、設計された新型太陽光発電架台システムの仕組みの説明図面である。
【図２】図２は、該当する連接構造の拡大説明図面である。
【図３】図３は、該当するクリップセットの拡大説明図面である。
【図４】図４は、該当するクリップセットの使用状態図面である。
【図５】図５は、該当するエンドクリップセットの説明図面である。
【図６】図６は、該当するエンドクリップセットの使用状態図面である。
【図７】図７は、該当するミッドクリップセットの説明図面である。
【考案を実施するための形態】
【００１６】
次では、図面と具体的な実施方式に合わせて、本考案を更に詳しく説明する。
【実施例】
【００１７】
図１のように、一種類の新型太陽光発電架台システムは、支柱1、横レール2、レール3を含む。横レール2は連接構造4で支柱1の先端に固定され、それにより、レール3を横レール2の上に設置する。レール3と横レール2の間にフック構造を設置する。
【００１８】
連接構造4は、図２のように、第１連接部品4.1とそれに連接する第２連接部品4.2を含む。第１連接部品4.1は支柱1の先端に固定され、第２連接部品4.2は、第１連接部品4.1と連接される。第２連接部品4.2は、連接箇所を中心に第１連接部品4.1に対して少なくとも2つの方向へ回転することができる。
【００１９】
具体的に、第２連接部品4.2は、取付平面と固定平面を含む。上記両平面にて「T」型に形成される。ボールジョイントカバー4.3の固定を制限する為に、固定平面には貫通穴が設計され、ボールジョイントカバー4.3がある程度で貫通穴にて回転することができるようになる。ボールジョイントカバー4.3の中に貫通設置穴が設計され、第１連接部品4.1にも対応する取付穴が設計されている。ボルト4.4で、第１連接部品4.1とボールジョイントカバー4.3にある穴を通して、第１連接部品4.1と第２連接部品4.2を固定し連接する。
【００２０】
図3-7のように、フック構造は、クリップセット5、エンドクリップセット6、ミッドクリップセット7との三つからなる。
【００２１】
クリップセット5は、クリップ5.1とドグ5.2からなる。ドグ5.2には、本体になるボルト設置穴とドグエッジがある。ドグ5.2は、逆「U」型である。ドグエッジは、レール（横レール2）の固定に使用する。クリップ5.1は、ドグ5.2を固定し、クリップの片側に、外方へ突出する台の肩部を有している。
【００２２】
エンドクリップセット6は、積み重ねられてある、エンドクリップ部品6.1と、第１エンドクリップアクセサリー6.2と、第２エンドクリップアクセサリー6.3とからなる。最下層にある第２エンドクリップアクセサリー6.3の両側で、横レール2とレール3を固定する。第１エンドクリップアクセサリー6.2は第２エンドクリップアクセサリー6.3の上部に設計され、エンドクリップ部品6.1は第１エンドクリップアクセサリー6.2の上部に設計されている。ボルトでエンドクリップ部品6.1、第１エンドクリップアクセサリー6.2と第２エンドクリップアクセサリー6.3を通して固定することができる。
【００２３】
ミッドクリップセット7は、ミッドクリップ部品7.1と、ドグ7.2とからなる。ドグ7.2には、本体になるボルト設置穴とドグエッジとがある。ドグ7.2は、逆「U」型である。ドグエッジは、横レール2の固定に使用する。ミッドクリップ部品7.1は、シート状で、その中にはボルト設置穴が設計されている。使用の場合、ボルトでミッドクリップ部品7.1とドグ7.2にあるボルト設置穴を通して、ミッドクリップ部品7.1とドグ7.2との間に設置するモジュールを固定することができる。ミッドクリップ部品7.1は、普通モジュールを横レール2に固定するために使用する。
【００２４】
以上、本説明書には本考案の実施方式を説明したが、これらの実施方式は提示とするものだけであり、本考案の保護範囲に限ってはいけない。本考案の主旨を離れない限り、各種な省略、交換また変更をすることのすべては、本考案の保護範囲にある。
【符号の説明】
【００２５】
1、支柱   2、横レール   3、レール  4、連接構造   4.1、第1連接部品  4.2、第２連接部品   4.3、ボールジョイントカバー   4.4、ボルト   5、クリップセット   5.1、クリップ   5.2、ドグ   6、エンドクリップセット   6.1、エンドクリップ部品   6.2、第１エンドクリップアクセサリー   6.3、第２エンドクリップアクセサリー   7、ミッドクリップセット   7.1ミッドクリップ部品   7.2、ドグ
【図１】
0003204297.tif 000003
【図２】
0003204297.tif 000004
【図３】
0003204297.tif 000005
【図４】
0003204297.tif 000006
【図５】
0003204297.tif 000007
【図６】
0003204297.tif 000008
【図７】
0003204297.tif 000009